(57)【特許請求の範囲】
【請求項１】
建物の開口部に取り付けられ、金属部材と樹脂部材とを連結してなる複合下枠を備えた引き違い式のサッシ窓の気密／断熱構造であって、
前記複合下枠の金属部材は、前記サッシ窓の障子の下端部を支持する障子支持部を有し、
前記樹脂部材は、前記金属部材の障子支持部よりも室内側に配設されるとともに、少なくともその一部を前記金属部材の側壁部の上端部上に配して設けられ、
且つ、前記障子の下框の室内側を向く面から前記側壁部の上端部に連続して室内外間の通気を阻止する気密ラインが形成されるように、前記障子の下框の室内側を向く面と前記複合下枠の前記側壁部の室外側を向く面の間に気密／断熱材が設けられており、
前記気密／断熱材が、前記複合下枠の側壁部の室外側を向く面に形成された断熱材係合溝に着脱可能に係合する係合基端部と、前記係合基端部から前記側壁部の上端部よりも上方に突出して配設される気密／断熱本体部とを備えていることを特徴とするサッシ窓の気密／断熱構造。
【請求項２】
請求項１記載のサッシ窓の気密／断熱構造において、
前記気密／断熱本体部は、前記障子の下框に接触する一面が凸円弧状に形成されているサッシ窓の気密／断熱構造。
【請求項３】
建物の開口部に取り付けられ、金属部材と樹脂部材とを連結してなる複合下枠を備えた引き違い式のサッシ窓の気密／断熱構造であって、
前記複合下枠の金属部材は、前記サッシ窓の障子の下端部を支持する障子支持部を有し、
前記樹脂部材は、前記金属部材の障子支持部よりも室内側に配設されるとともに、少なくともその一部を前記金属部材の側壁部の上端部上に配して設けられ、
且つ、前記障子の下框の室内側を向く面から前記側壁部の上端部に連続して室内外間の通気を阻止する気密ラインが形成されるように、前記障子の下框の室内側を向く面と前記複合下枠の前記側壁部の室外側を向く面の間に気密／断熱材が設けられており、
前記下枠の側壁部の上端部と前記樹脂部材の上下方向の間に隙間が設けられ、前記隙間に前記気密／断熱材が嵌合され、あるいは前記下枠の側壁部の上端部と前記樹脂部材と前記気密／断熱材で囲まれた空気層が形成され、前記隙間に断熱層が形成されていることを特徴とするサッシ窓の気密／断熱構造。
【請求項４】
建物の開口部に取り付けられ、金属部材と樹脂部材とを連結してなる複合下枠を備えたサッシ窓の気密／断熱構造であって、
前記複合下枠の金属部材は、前記サッシ窓の障子の下端部を支持する障子支持部を有し、
前記樹脂部材は、前記金属部材の障子支持部よりも室内側に配設されるとともに、少なくともその一部を前記金属部材の側壁部の上端部上に配して設けられ、
且つ、前記障子の下框の室内側を向く面から前記側壁部の上端部に連続して室内外間の通気を阻止する気密ラインが形成されるように、前記障子の下框の室内側を向く面と前記複合下枠の前記側壁部の室外側を向く面の間に気密／断熱材が設けられており、
前記下枠の側壁部の上端部と前記樹脂部材の上下方向の間に隙間が設けられ、前記隙間に前記気密／断熱材が嵌合され、あるいは前記下枠の側壁部の上端部と前記樹脂部材と前記気密／断熱材で囲まれた空気層が形成され、前記隙間に断熱層が形成されていることを特徴とするサッシ窓の気密／断熱構造。
【発明の詳細な説明】
【技術分野】
【０００１】
本発明は、サッシ窓の気密／断熱構造に関する。
【背景技術】
【０００２】
従来、住宅などの建物には、引違い窓、上げ下げ窓、ＦＩＸ窓（はめ殺し窓）、外開き窓、内倒し窓、折りたたみ窓、回転窓などのそれぞれ開閉方式や機能が異なる各種サッシ窓が用いられている。
【０００３】
このうち、引違い窓のサッシ窓は、建物の開口部の外周縁に枠体が固設され、開口部を開閉するように、枠体内に２枚の障子をそれぞれ左右方向にスライド移動可能に納めて構成されている。各障子は、アルミ形材や樹脂形材を用いて形成された上框と下框と左右の縦框（一方の縦框は召し合せ框）からなる方形枠状の框と、框の内部に納められたガラスパネルとを備えて形成されている。
【０００４】
また、各障子は、障子の上框に断面凹部形状の案内溝が形成され、枠体の上枠に形成された上部レールに案内溝を係合させて配設されている。さらに、下框に戸車が収納され、枠体の下枠に設けられた断面凸状の下部レール上に下框及び戸車を係合させて配設されている。これにより、障子は、枠体の上部レール及び下部レースに案内されて左右方向にスライド移動可能に設けられている。
【０００５】
一方、アルミ形材で中空構造の枠体３の下枠３ｂには、図８や図９に示すように、室内側の中空部に樹脂ブリッジ材１０を充填し、断熱性等を確保するようにしている（例えば、特許文献１参照）。また、室内側にフローリングなどの床材との取合部を被覆するアングル材１１が一体に取り付けられる。そして、このアングル材１１には、アルミアングルや樹脂アングルが用いられ、このうち、樹脂アングルを用いると断熱性を高めることができる。
【先行技術文献】
【特許文献】
【０００６】
【特許文献１】特開２００２−２９５１４１号公報
【発明の概要】
【発明が解決しようとする課題】
【０００７】
しかしながら、上記従来のサッシ窓においては、樹脂ブリッジ材１０を下枠３ｂの中空部に充填するため、生産性が悪いという不都合があった。また、外気温、直射日光等の影響によって樹脂ブリッジ材１０に熱収縮が生じるおそれもあり、樹脂ブリッジ材１０に収縮が生じてしまうと、断熱性の低下を招き、アルミ形材の下枠３ｂに樹脂アングル１１を取り付けた周辺部分や、障子２の下框２ｂ周辺に結露が発生しやすくなる。
【０００８】
本発明は、上記事情に鑑み、より好適に断熱性、気密性を確保できるサッシ窓の気密／断熱構造を提供することを目的とする。
【課題を解決するための手段】
【０００９】
上記の目的を達するために、この発明は以下の手段を提供している。
【００１０】
本発明のサッシ窓の気密／断熱構造は、建物の開口部に取り付けられ、金属部材と樹脂部材とを連結してなる複合下枠を備えた引き違い式のサッシ窓の気密／断熱構造であって、前記複合下枠の金属部材は、前記サッシ窓の障子の下端部を支持する障子支持部を有し、前記樹脂部材は、前記金属部材の障子支持部よりも室内側に配設されるとともに、少なくともその一部を前記金属部材の側壁部の上端部上に配して設けられ、且つ、前記障子の下框の室内側を向く面から前記側壁部の上端部に連続して室内外間の通気を阻止する気密ラインが形成されるように、前記障子の下框の室内側を向く面と前記複合下枠の前記側壁部の室外側を向く面の間に気密／断熱材が設けられており、前記気密／断熱材が、前記複合下枠の側壁部の室外側を向く面に形成された断熱材係合溝に着脱可能に係合する係合基端部と、前記係合基端部から前記側壁部の上端部よりも上方に突出して配設される気密／断熱本体部とを備えていることを特徴とする。
【００１２】
さらに、本発明のサッシ窓の気密／断熱構造においては、前記気密／断熱本体部は、前記障子の下框に接触する一面が凸円弧状に形成されていることがより望ましい。
【００１３】
また、本発明のサッシ窓の気密／断熱構造は、建物の開口部に取り付けられ、金属部材と樹脂部材とを連結してなる複合下枠を備えた引き違い式のサッシ窓の気密／断熱構造であって、前記複合下枠の金属部材は、前記サッシ窓の障子の下端部を支持する障子支持部を有し、前記樹脂部材は、前記金属部材の障子支持部よりも室内側に配設されるとともに、少なくともその一部を前記金属部材の側壁部の上端部上に配して設けられ、且つ、前記障子の下框の室内側を向く面から前記側壁部の上端部に連続して室内外間の通気を阻止する気密ラインが形成されるように、前記障子の下框の室内側を向く面と前記複合下枠の前記側壁部の室外側を向く面の間に気密／断熱材が設けられており、前記下枠の側壁部の上端部と前記樹脂部材の上下方向の間に隙間が設けられ、前記隙間に前記気密／断熱材が嵌合され、あるいは前記下枠の側壁部の上端部と前記樹脂部材と前記気密／断熱材で囲まれた空気層が形成され、前記隙間に断熱層が形成されていることを特徴とする。
本発明のサッシ窓の気密／断熱構造は、建物の開口部に取り付けられ、金属部材と樹脂部材とを連結してなる複合下枠を備えたサッシ窓の気密／断熱構造であって、前記複合下枠の金属部材は、前記サッシ窓の障子の下端部を支持する障子支持部を有し、前記樹脂部材は、前記金属部材の障子支持部よりも室内側に配設されるとともに、少なくともその一部を前記金属部材の側壁部の上端部上に配して設けられ、且つ、前記障子の下框の室内側を向く面から前記側壁部の上端部に連続して室内外間の通気を阻止する気密ラインが形成されるように、前記障子の下框の室内側を向く面と前記複合下枠の前記側壁部の室外側を向く面の間に気密／断熱材が設けられており、前記下枠の側壁部の上端部と前記樹脂部材の上下方向の間に隙間が設けられ、前記隙間に前記気密／断熱材が嵌合され、あるいは前記下枠の側壁部の上端部と前記樹脂部材と前記気密／断熱材で囲まれた空気層が形成され、前記隙間に断熱層が形成されていることを特徴とする。
【発明の効果】
【００１４】
本発明のサッシ窓の気密／断熱構造においては、障子の下框の室内側を向く面から複合下枠の金属部材である側壁部の上端部に連続して室内外間の通気を阻止する気密ラインが形成されるように、障子の下框と複合下枠の側壁部の間に気密／断熱材を設けることにより、従来よりも断熱性、気密性を向上させることが可能になる。
【図面の簡単な説明】
【００１５】
【図１】本発明の一実施形態に係るサッシ窓を示す縦断面図である。
【図２】本発明の一実施形態に係るサッシ窓の気密／断熱構造を示す断面図である。
【図３】図２のＳ１部を拡大した図である。
【図４】本発明の一実施形態に係るサッシ窓の気密／断熱構造を示す断面図である。
【図５】図４のＳ２部を拡大した図である。
【図６】本発明の一実施形態に係るサッシ窓の気密／断熱構造の変更例を示す断面図である。
【図７】図６のＳ３部を拡大した図である。
【図８】従来のサッシ窓の気密／断熱構造を示す断面図である。
【図９】従来のサッシ窓の気密／断熱構造を示す断面図である。
【発明を実施するための形態】
【００１６】
以下、図１から図７を参照し、本発明の一実施形態に係るサッシ窓の気密／断熱構造について説明する。
【００１７】
はじめに、本実施形態のサッシ窓Ａは、例えば、アルミ樹脂複合サッシの引違い窓であり、図１に示すように、上框１ａ、下框１ｂ、一方の縦框、他方の縦框（召し合せ框）からなる框（サッシ）１と、框１に外周端を保持されて窓面を形成するガラスパネル（障子）２とを備えて構成されている。
【００１８】
なお、本実施形態のサッシ窓Ａは、例えば２枚のガラスパネル２を框１に保持させ、複層パネルのサッシ窓として構成してもよい。また、本実施形態のサッシ窓Ａは、引違い窓の他に、上げ下げ窓、外開き窓、内倒し窓、折りたたみ窓、回転窓などのそれぞれ開閉方式や機能が異なる各種サッシ窓であってもよい。
【００１９】
本実施形態において、框１は、アルミ形材（アルミ部）や樹脂形材を用い、中空構造で形成されている。また、各框１は、内周側に、一対の側壁部の間に形成された係合凹部１ｃを設けて形成され、この係合凹部１ｃにガラスパネル２の外周端部を係合保持させるように構成されている。
【００２０】
また、各障子２は、障子２の上框１ａに断面凹部形状の案内溝が形成され、枠体３の上枠３ａの上部レールに案内溝を係合させて配設されている。さらに、アルミ形材（金属部材／アルミ部）や樹脂形材（樹脂部材）を用いて形成された下枠（複合下枠）３ｂに、上方に開口する係合凹部が形成され、この係合凹部に下部レール（障子支持部）が突設されている。そして、下枠３ｂの係合凹部に戸車１ｄを収納し、断面凸状の下部レール上に下框１ｂ及び戸車１ｄを係合させて各障子２が配設されている。これにより、障子２は、枠体３の上部レール及び下部レースに案内されて左右方向にスライド移動可能に設けられている。
【００２１】
また、本実施形態では、図１、図２、図３（及び図４、図５）に示すように、下枠３ｂの室内側に配され、係合凹部を形成する側壁部４には、その内面（金属部材の室外側を向く面）に断熱材係合溝５が形成されている。さらに、この側壁部４には外面にアングル係止部６が突設されている。そして、下枠３ｂの側壁部４のアングル係止部６に係止させて、室内側にフローリングなどの床材との取合部を被覆する樹脂製のアングル材（樹脂部材）１１が一体に取り付けられている。
【００２２】
また、この樹脂製のアングル材１１は、下枠３ｂの金属部材である下部レール及び側壁部４よりも室内側に配設されるとともに、その一部を側壁部４の上端部上に配して設けられている。
【００２３】
一方、本実施形態のサッシ窓Ａにおいては、気密性や断熱性、水密性を確保するための気密／断熱構造Ｂを備えている。
【００２４】
本実施形態の気密／断熱構造Ｂは、樹脂製の気密／断熱材７を備えて構成されている。気密／断熱材７は、下枠３ｂの側壁部４の室外側を向く面に形成された断熱材係合溝５に係合させて位置決め保持するための係合基端部７ａと、係合基端部７ａから上方に突設され、障子２の下框１ｂの外面と、この下框１ｂの外面と対向する下枠３ｂの側壁部４の内面との間、あるいは、障子２の下框１ｂの外面と、下枠３ｂの側壁部４の内面及び下框１ｂの外面と対向するアングル材１１の先端部側の面１１ａとの間に配設され、各面に密着する気密／断熱本体部７ｂとを備えて形成されている。
【００２５】
また、本実施形態の気密／断熱本体部７ｂは、障子２の下框１ｂの外面に接触する一面が円弧面状に形成されている。本実施形態の気密／断熱本体部７ｂは、下枠３ｂの側壁部４の内面やアングル材１１の先端部側の面１１ａと接触する他面が下枠３ｂやアングル材１１の平面と面接触するように平面状に形成されている。
【００２６】
ここで、本実施形態の気密／断熱構造Ｂにおいては、図３、図５に示すように、下枠３ｂの側壁部４の上端部とアングル材１１の先端部側の下面とが当接し、面一に配設された下枠３ｂの側壁部４の内面（及びアングル材１１の先端部側の面１１ａ）に、気密／断熱本体部７ｂの平面状の他面を密着させて気密／断熱材７が設けられている。
【００２７】
そして、このように、障子２の下框１ｂとアングル材１１や下枠３ｂの間に気密／断熱材７を設けて気密／断熱構造Ｂが構成されることにより、障子２の下框１ｂの室内側を向く面から下枠３の側壁部４の上端部に連続して室内外間の通気を阻止する気密ラインＲを形成することができる。これにより、従来よりも断熱性、気密性を向上させることが可能になる。
【００２８】
また、従来と比較し、容易に気密／断熱材７を取り付けることができ、生産性／施工性を大幅に向上させることが可能になる。
【００２９】
さらに、気密／断熱材７が中空部に充填配置されるのではなく、開放空間に配設されるため、外気温、直射日光等の影響によって熱収縮が生じるおそれがなく（小さく）、断熱性の低下を招く可能性を大幅に低減することが可能になる。これにより、アルミ形材の下枠３ｂに樹脂アングル材１１を取り付けた周辺部分や、障子２の下框１ｂ周辺に結露が発生することをより確実に抑止することが可能になる。
【００３０】
さらに、気密／断熱材７を下枠３ｂの断熱材係合溝５に対して容易に着脱することができ、メンテナンスや交換も容易に行うことができる。これにより、長期にわたり好適に気密性、断熱性、止水性を確保することができる。
【００３１】
本実施形態の気密／断熱構造Ｂにおいては、図６及び図７に示すように、下枠３ｂの側壁部４の上端部とアングル材１１の先端部側の下面との間に空間（隙間）Ｈを設け、この空間Ｈを挟んで上下に並設された下枠３ｂの側壁部４の内面とアングル材１１の先端部側の面１１ａとに、気密／断熱本体部７ｂの平面状の他面を密着させて気密／断熱材７を設けるようにしてもよい。
【００３２】
このとき、上記空間Ｈに気密／断熱本体部７ｂの一部を嵌合させたり、空間Ｈを空気層としたり、空間Ｈにアングル材１１と一体または別体の樹脂部を設ける。これにより、この空間Ｈ部分を断熱層として機能させることができる。
【００３３】
すなわち、下枠３ｂの側壁部４の上端とアングル材１１の先端部側の下面との間の空間Ｈが、下枠３ｂの側壁部４とアングル材１１とともに気密／断熱材７によって密閉されるため、断熱層として機能する。また、空間Ｈを設け、気密／断熱本体部７ｂが側壁部４の上端部よりも上方に突出することで、図３の気密／断熱構造Ｂよりも、図７の気密／断熱構造Ｂは、気密ラインＲを上方に押し上げることができる。これにより、優れた気密性、断熱性、止水性を発揮させることが可能になる。
【００３４】
ここで、本実施形態では、サッシ窓Ａがアルミ樹脂複合サッシであり、気密／断熱材７が、下框１ｂと下枠３ｂのアルミ部（金属部材）に接触するようにして、下框１ｂの室内側を向く面と下枠３ｂの側壁部４の室外側を向く面の間に介設（室内側に配設）されている。そして、気密／断熱材７（気密／断熱本体部７ｂ）を上方に突出させつつ下框１ｂと下枠３ｂのアルミ部を繋ぐように設けることにより、見付方向を小さくしつつ断熱層を大きく確保できることが可能になる。
【００３５】
すなわち、一般に、アルミ樹脂複合サッシは下枠３ｂの側壁部４がアルミでできているため、その上の樹脂アングル材１１の部分を冷気が伝わり、アングル室内側上面に結露が生じやすくなる。これを防止する手法として断熱層を極力大きくすることが考えられるが、断熱層を単に大きくすると見付方向の寸法が大きくなってしまうという不都合を招く。
これに対し、本実施形態の気密／断熱構造Ｂでは、係合基端部７ａを下方に取り付け、気密／断熱本体部７ｂを側壁部４の上端部よりも上方に突出させることで、見付方向を小さくしつつ断熱層を大きく確保できることが可能になる。
【００３６】
以上、本発明に係るサッシ窓の気密／断熱構造の一実施形態について説明したが、本発明は上記の一実施形態に限定されるものではなく、その趣旨を逸脱しない範囲で適宜変更可能である。
【符号の説明】
【００３７】
１    框（サッシ）
１ａ  上框
１ｂ  下框
１ｃ  係合凹部
１ｄ  戸車
２    障子
３    枠体
３ｂ  下枠（複合下枠）
４    側壁部（金属部材）
５    断熱材係合溝
６    アングル係止部
７    気密／断熱材
７ａ  係合基端部
７ｂ  気密／断熱本体部
１０  樹脂ブリッジ材
１１  アングル材（樹脂部材）
Ａ    サッシ窓
Ｂ    サッシ窓の気密／断熱構造
【図１】
0006804212.tif 000002
【図２】
0006804212.tif 000003
【図３】
0006804212.tif 000004
【図４】
0006804212.tif 000005
【図５】
0006804212.tif 000006
【図６】
0006804212.tif 000007
【図７】
0006804212.tif 000008
【図８】
0006804212.tif 000009
【図９】
0006804212.tif 000010